(57)【要約】      （修正有）【課題】体格に応じた最適な装着をさせるシートベルト装置を提供する。【解決手段】シートベルト装置１００におけるシートベルト取り付け部２０は、シートベルト１０を取り付けるものであり、網目状に形成された網目状部２２を含んだシート部材により構成されている。シートベルト装置１００をシート２００に取り付ける場合、シートバック２１０の上方からシートベルト取り付け部２０を覆い被せて、シートバック２１０の背もたれ面２１１及び背面２１２を覆わせて、サイドに設けられた固定部材２４ａ及び被固定部材２４ｂ等により固定する。その際、シートバック２１０の背もたれ面２１１に網目状部２２を位置させる。シートベルト１０は、網目状部２２における網目を通して、シートベルト１０とシートベルト取り付け部２０を係合させることにより、シートベルト取り付け部２０に取り付ける。【選択図】図２
0003181338.tif 000002
【実用新案登録請求の範囲】
【請求項１】
シートバックに取り付けるシートベルト装置であって、
シートベルトと、
少なくとも一部に網目状の網目状部を含んだシート部材であるシートベルト取り付け部とを備え、
シートベルト取り付け部は、前記網目状部がシートバックの背もたれ面に位置するようシートバックに被せて取り付け、
前記シートベルトは、前記網目状部における網目を通して、前記シートベルトと前記シートベルト取り付け部とを係合させることにより、前記シートベルト取り付け部に取り付けることを特徴とするシートベルト装置。
【請求項２】
車両シートと、
シートベルトと、
少なくとも一部に網目状の網目状部を含んだシート部材であるシートベルト取り付け部とを備え、
シートベルト取り付け部は、前記網目状部が前記車両シートにおけるシートバックの背もたれ面に位置するようシートバックに取り付けられ、
前記シートベルトは、前記網目状部における網目を通して、前記シートベルトと前記シートベルト取り付け部とを係合させることにより、前記シートベルト取り付け部に取り付けることを特徴とする車両シート構造。
【考案の詳細な説明】
【技術分野】
【０００１】
本考案は、車両シートのシートバックに取り付けるシートベルト装置、及びそのシートベルト装置を備えた車両シート構造に関する。
【背景技術】
【０００２】
幼稚園送迎バスには、現在シートベルトの設置義務はない。シートベルトの設置義務が見送られているのは、園児の体格差にばらつきがあり、この体格差に応じた安全性を確保できるシートベルトがなかったことも一因とされている。ところが、それでも幼稚園送迎バスの交通事故に伴う園児の事故被害は起こっており、幼稚園送迎バスにおいて事故対策の必要性が提起されていた。そして、幼稚園送迎バスにおける事故対策の一つとして、バス座席の背もたれの上縁より上方に、クッション材を配設するアイデアが提案されていた（例えば、特許文献１参照。）。
【先行技術文献】
【特許文献】
【０００３】
【特許文献１】実用新案登録第３１６７７５４号公報
【考案の概要】
【考案が解決しようとする課題】
【０００４】
しかしながら、上記バス座席の背もたれの上縁より上方に、クッション材を配設するアイデアだけでは、幼稚園送迎バスに乗車した園児の安全性に問題がある。やはり、体格差に応じて、園児の安全性を確保できるシートベルトが必要である。
【０００５】
そこで、体格に応じて最適な装着をさせるシートベルト装置、及びそのシートベルト装置を備えた車両シート構造を提供することを目的とする。
【課題を解決するための手段】
【０００６】
上記課題を解決するため、本考案のシートベルト装置は、シートバックに取り付けるシートベルト装置であって、シートベルトと、少なくとも一部に網目状の網目状部を含んだシート部材であるシートベルト取り付け部とを備え、シートベルト取り付け部は、上記網目状部がシートバックの背もたれ面に位置するようシートバックに被せて取り付け、上記シートベルトは、上記網目状部における網目を通して、上記シートベルトと上記シートベルト取り付け部とを係合させることにより、上記シートベルト取り付け部に取り付けることを特徴とする。これにより、体格に応じてシートベルトの最適な装着をさせるという作用をもたらす。特に、現在シートベルトが設置されていない幼稚園送迎バスの場合、本考案のシートベルト装置は簡易に取り付けることができ、園児の体格差を気にすることなく取り入れることができる。
【０００７】
また、本考案の車両シート構造は、車両シートと、シートベルトと、少なくとも一部に網目状の網目状部を含んだシート部材であるシートベルト取り付け部とを備え、シートベルト取り付け部は、上記網目状部が上記車両シートにおけるシートバックの背もたれ面に位置するようシートバックに取り付けられ、上記シートベルトは、上記網目状部における網目を通して、上記シートベルトと上記シートベルト取り付け部とを係合させることにより、上記シートベルト取り付け部に取り付けることを特徴とする。これにより、体格に応じてシートベルトの最適な装着をさせるという作用をもたらす。
【考案の効果】
【０００８】
本考案によれば、車両に乗車した人の体格に応じてシートベルトの最適な装着をさせることができるという優れた効果を奏し得る。
【図面の簡単な説明】
【０００９】
【図１】本考案の実施の形態におけるシートベルト装置１００を示す図である。
【図２】本考案の実施の形態におけるシートベルト装置１００を車両のシート２００に取り付けた状態を示す図である。
【図３】幼稚園送迎バス内におけるシート３００に、本考案の実施の形態におけるシートベルト装置１００を適用した様子を示す図である。
【考案を実施するための形態】
【００１０】
次に本考案の実施の形態について図面を参照して詳細に説明する。
【００１１】
図１は、本考案の実施の形態におけるシートベルト装置１００を示す図である。シートベルト装置１００は、図１（ａ）に示すように、シートベルト１０と、シートベルト取り付け部２０とを備える。
【００１２】
シートベルト１０は、ベルト部材１１の両端に対を成すベルト着脱部材を備えている。ベルト着脱部材は、ベルト着脱具１２ａ及び被ベルト着脱具１２ｂにより構成される。ベルト着脱部材における固定態様として、例えばベルト着脱具１２ａに被ベルト着脱具１２ｂを差し込むことにより被ベルト着脱具１２ｂがベルト着脱具１２ａにおいて装着・固定される態様が一例として想定されるが、これに限るものではなく、それ以外の装着・固定態様であってもよい。
【００１３】
また、シートベルト１０におけるベルト部材１１は、長さを調節できる長さ調節部１３を備えさせた構成であってもよい。長さ調節部１３は、例えばバックルにより構成させた長さ調節機構とすることが一例として想定されるが、これに限るものではなく、その他の機構であってもよい。
【００１４】
シートベルト取り付け部２０は、シートベルト１０を取り付けるものであり、網目状部２２を含んだシート部材２１により構成されている。網目状部２２は、シート部材２１の少なくとも一部を構成し、網目状に形成された部分である。なお、網目状部２２は、シート部材２１の少なくとも一部を構成するため、シート部材２１の全部が網目状部２２で構成される態様であってもよい。また、シートベルト取り付け部２０は、車両シートのシートバック部に取り付ける。
【００１５】
シートベルト取り付け部２０の具体的構成の一例として、図１（ａ）に示すようにシート部材２１の約半面を網目状部２２にする構成が挙げられるが、これに限るものではない。すなわち、シートベルト取り付け部２０を取り付ける車両シートの種類、大きさ、形状等様々な要素によりシートベルト取り付け部２０の大きさ、形状、材質等の具体的構成は変わってくる。
【００１６】
シートベルト取り付け部２０の具体的構成として、例えば、上記挙げたようにシート部材２１の全面を網目状部２２にする構成や、シート部材２１の約１／３面（その他の割合でもよい）を網目状部２２にする構成や、シート部材２１の所定の部分のみを網目状部２２にする構成、シート部材２１の複数箇所を網目状部２２にする構成等様々な構成も、網目状部２２がシート部材２１の少なくとも一部を構成することに該当し、本考案に含まれる。また、シートベルト取り付け部２０の大きさも取り付ける車両シートの大きさにより変わってくる。また、シートベルト取り付け部２０の材質も、軟質性材質のみでもよいし、硬質性材質との組み合わせてもよく、様々な材質態様が本考案に含まれる。
【００１７】
また、図１（ａ）に示すように、網目状部２２を含むシート部材２１の強度向上を目的として、シート部材２１の四方部分、及び網目状部２２の境界部分、並びに、シート部材２１内の縦横方向に等間隔に、幅広の補強部材２３ａ〜補強部材２３ｊを入れるようにしてもよい。どのように補強部材を入れるかは設計事項であり、様々な態様が想定される。
【００１８】
また、シートベルト取り付け部２０における網目状部２２は、図１（ａ）では網目状のネットにより構成させることが一例として想定されるが、これに限るものではなく、そのたの部材で構成させてもよい。例えば図１（ｂ）に示すように、網目状部を構成する部材として、上記挙げた補強部材等の幅広の部材も一例として想定され、このような網目状部も本考案の網目状部に含まれる。また、網目状部２２における網目状として様々な網目状が含まれる。例えば図１（ｃ）に示すように、シート部材２１上において円形の穴を所定の配列に並べた網目状も本考案に含まれる。また、網目状部２２における網目状として、円形以外の様々な形状（菱形、六角形等）の穴を、様々な配列に並べた網目状も本考案に含まれる。また、上記穴の配列は、規則性があるものに限らず、ランダムな配列をも含む。
【００１９】
また、シートベルト取り付け部２０の（紙面向かって）右サイドには、対になる固定部材２４ａ及び被固定部材２４ｂ、対になる固定部材２５ａ及び被固定部材２５ｂ、対になる固定部材２６ａ及び被固定部材２６ｂが設けられている。固定部材２４ａには、例えばマジックテープ（登録商標）が備えられており、被固定部材２４ｂの輪を通して折り返してマジックテープ（登録商標）部分を結合させることにより固定部材２４ａと被固定部材２４ｂとが接続され固定される（図２参照）。対になる固定部材２５ａ及び被固定部材２５ｂ、対になる固定部材２６ａ及び被固定部材２６ｂもそれぞれ固定部材２４ａと被固定部材２４ｂと同様であるため、その説明を省略する。また、シートベルト取り付け部２０の（紙面向かって）左サイドにも、対になる固定部材２４ａ及び被固定部材２４ｂ、対になる固定部材２５ａ及び被固定部材２５ｂ、対になる固定部材２６ａ及び被固定部材２６ｂと同様の対になる固定部材及び被固定部材を設けてもよい。
【００２０】
上記はシートベルト取り付け部２０の（紙面向かって）右サイドに、対になる固定部材及び被固定部材を設けた場合を説明したが、シートベルト取り付け部２０の（紙面向かって）左サイドに、上記説明したものと同様の対になる固定部材及び被固定部材を設けてもよい。また、シートベルト取り付け部２０の（紙面向かって）右左の両サイドに、上記説明したものと同様の対になる固定部材及び被固定部材を設けてもよい。
【００２１】
また、シートベルト取り付け部２０には、対になる固定部材２７ａ及び被固定部材２７ｂ、対になる固定部材２８ａ及び被固定部材２８ｂ、対になる固定部材２９ａ及び被固定部材２９ｂがシートベルト取り付け部２０の上下端部に設けられている。対になる固定部材２７ａ及び被固定部材２７ｂ、対になる固定部材２８ａ及び被固定部材２８ｂ、対になる固定部材２９ａ及び被固定部材２９ｂもそれぞれ上記固定部材２４ａと被固定部材２４ｂと同様であるため、その説明を省略する。
【００２２】
上記シートベルト取り付け部２０の固定部材及び被固定部材は、車両シートの片側が車体に密着した一般的な幼稚園バスを想定して設けた一例の態様であり、上記固定部材及び被固定部材の態様はこれに限るものではない。すなわち、シートベルト取り付け部２０の固定部材及び被固定部材をどのような固定態様の上記固定部材及び被固定部材とし、どの位置にいくつ設けるかは、設計事項であり、車種、車両シートの種類に応じて様々な態様が考えられ、それらも本考案に含まれる。
【００２３】
以上説明したシートベルト装置１００の使用例を図２において説明する。図２は、本考案の実施の形態におけるシートベルト装置１００を車両のシート２００に取り付けた状態を示す図である。シートベルト装置１００をシート２００に取り付ける場合の手順の一例を以下において説明する。シート２００の背もたれ部であるシートバック２１０にシートベルト取り付け部２０を装着する。
【００２４】
具体的には、図２（ａ）に示すように、シートバック２１０の上方からシートベルト取り付け部２０を覆い被せて、シートバック２１０の背もたれ面２１１及び背面２１２をシートベルト取り付け部２０に覆わせる。その際、シートバック２１０の背もたれ面２１１に網目状部２２が位置するようにする。
【００２５】
以上のようにシートバック２１０にシートベルト取り付け部２０を取り付けたら、シートベルト取り付け部２０の（紙面向かって）右サイドに設けられた対になる固定部材２４ａ及び被固定部材２４ｂ、対になる固定部材２５ａ及び被固定部材２５ｂ、対になる固定部材２６ａ及び被固定部材２６ｂにより、シートベルト取り付け部２０をシートバック２１０に固定する。また、図２において図示していないが、シートバック２１０とシートクッション２２０との繋ぎ目の隙間２１３を通して、シートベルト取り付け部２０の上下端部に設けられた対になる固定部材２７ａ及び被固定部材２７ｂ、対になる固定部材２８ａ及び被固定部材２８ｂ、対になる固定部材２９ａ及び被固定部材２９ｂにより、シートベルト取り付け部２０をシートバック２１０に固定する。これにより、図２（ｂ）に示すように、シートベルト取り付け部２０の取り付けが完了する。
【００２６】
また、シートベルト１０は、その一端を網目状部２２における網目を通して、その一端を折り返し別の網目から再度逆方向へ通すことにより、シートベルト１０とシートベルト取り付け部２０とを係合させてシートベルト取り付け部２０に取り付ける。すなわち、シートベルト１０は、その一端を網目状部２２の表面から裏面に向かって通過させ、その一端を折り返し別の網目から、網目状部２２の裏面から表面に向かって通過させてシートベルト１０とシートベルト取り付け部２０とを係合させる。なお、シートベルト取り付け部２０には多数の網目の穴があるため、シートベルト１０を通す網目の穴の位置を自由に選ぶことができ、様々な態様のシートベルトの着用を実現することができる。これにより、人の体格に応じてシートベルトの最適な装着を実現することができる。
【００２７】
また、シートベルト装置１００は容易に後から車両のシートに取り付けることができるため、既存の車両への導入が容易である。特に、上記説明したように人の体格に応じてシートベルトの最適な装着を実現することができるため、体格差にばらつきがある園児を送迎する幼稚園送迎バスに最適である。これにより、園児の安全を容易に確保することができる。
【００２８】
図３は、幼稚園送迎バス内におけるシート３００に、本考案の実施の形態におけるシートベルト装置１００を適用した様子を示す図である。幼稚園送迎バス内におけるシート３００には、体型が大きい幼稚園児３１０及び体型が小さい幼稚園児３２０が着座している。そして、幼稚園児３１０及び幼稚園児３２０は、右肩から左腰にクロスさせる態様でシートベルトを着用している。
【００２９】
幼稚園児３１０は、体型が大きいため、幼稚園児３２０より座高が高い。このため、シートベルト１０を通す右肩付近の網目の穴の位置は、幼稚園児３１０の方が幼稚園児３２０より高い位置にする方が好適である。また、場合によっては幼稚園児３２０の腰回りに図示しているが、別途シートベルトを幼稚園児の腰回りにも着用させるようにしてもよい。その他のシートベルトの着用態様も本考案のシートベルト装置なら実現可能である。シートベルト装置１００を用いれば、体型に応じたきめ細やかなシートベルトの着用が可能となる。
【００３０】
以上図１乃至図３で説明したように、シートベルト装置１００を含む本考案のシートベルト装置によれば、車両に乗車した人の体格に応じてシートベルトの最適な装着をさせることができるという優れた効果を奏し得る。このため、幼稚園送迎バスにおいてシートベルトの設置義務が見送られている一因とされている体格差に応じた安全性を確保できるシートベルトがないという問題も、本考案のシートベルト装置なら解決している。また、本考案のシートベルト装置は、取り付けが容易であるため、導入が容易である利点もある
【００３１】
なお、本考案のシートベルト装置は、幼稚園送迎バス以外の車両にも適用可能である。シートベルト１０及びシートベルト取り付け部２０の大きさ等は車両のシートの大きさ等により変わるものであって設計事項であり、いかなる大きさのシートベルト１０及びシートベルト取り付け部２０も本考案の範囲に含まれる。また、シートベルト取り付け部は、シートバックの背もたれ面に網目状部を位置させることができる態様であれば、シートベルト取り付け部２０のようにシートバックの上方から覆い被せる態様でなくてもよい。すなわち、シートバックの背もたれ面に網目状部を位置させるようにシートベルト取り付け部を取り付けることができれば、シートベルト取り付け部はシートバックの背面まで覆う態様でなくてもよく、シートバックの背もたれ面内に収まる大きさであってもよい。このような態様も本考案に含まれる。
【００３２】
なお、本考案の実施の形態は本考案を具現化するための一例を示したものであり、これに限定されるものではなく本考案の要旨を逸脱しない範囲において種々の変形を施すことができる。
【符号の説明】
【００３３】
１０  シートベルト
１１  ベルト部材
１２ａ  ベルト着脱具
１２ｂ  被ベルト着脱具
１３  調節部
２０  シートベルト取り付け部
２１  シート部材
２２  網目状部
２３ａ、２３ｂ、２３ｃ、２３ｄ、２３ｅ、２３ｆ、２３ｇ、２３ｈ、２３ｉ、２３ｊ  補強部材
２４ａ、２５ａ、２６ａ、２７ａ、２８ａ、２９ａ  固定部材
２４ｂ、２５ｂ、２６ｂ、２７ｂ、２８ｂ、２９ｂ  被固定部材
１００  シートベルト装置
２００、３００  シート
２１０  シートバック
２１１  背もたれ面
２１２  背面
２１３  隙間
２２０  シートクッション
３００  シート
【図１】
0003181338.tif 000003
【図２】
0003181338.tif 000004
【図３】
0003181338.tif 000005